(57)【要約】【課題】種類の異なる接続具を接続する場合に、安価で、位置決め精度に優れ、接続部をコンパクトにできる接続を実現する。【解決手段】所定外寸を有する第一の光接続具の一方側部品である第１部品と、前記所定外寸よりも大きい所定内寸を有する第二の光接続具の他方側部品である第２部品とを接続する際に使用するアタッチメントであって、前記アタッチメントの外形は、前記第２部品の内形に対応し、前記アタッチメントの内形は、前記第１部品の外形に対応して、前記第１部品と前記第２部品に予圧を与えながら支持することを特徴とするアタッチメント。【選択図】図３
2006330088.tif 000002
【特許請求の範囲】
【請求項１】
所定外寸を有する第一の光接続具の一方側部品である第１部品と、前記所定外寸よりも大きい所定内寸を有する第二の光接続具の他方側部品である第２部品とを接続する際に使用するアタッチメントであって、前記アタッチメントの外形は、前記第２部品の内形に対応し、前記アタッチメントの内形は、前記第１部品の外形に対応して、前記第１部品と前記第２部品に予圧を与えながら支持することを特徴とするアタッチメント。
【請求項２】
請求項１に記載のアタッチメントであって、射出成形による一体成形品であることを特徴とするアタッチメント。
【請求項３】
請求項１又は２に記載のアタッチメントであって、光伝送路の光軸に対して点対称の複数箇所に予圧を与えることを特徴とするアタッチメント。
【請求項４】
請求項１から３いずれか一つに記載のアタッチメントであって、前記第一の光接続具はＳＣコネクタであり、前記第二も光接続具はケーブル外被把持型コネクタであることを特徴とするアタッチメント。
【発明の詳細な説明】
【技術分野】
【０００１】
本発明は、光通信システムにおいて使用される光源、測定器、伝送路中の接続点において使用される光接続具用アタッチメントに関する。
【背景技術】
【０００２】
光通信システムにおいて使用される光接続具には、ＦＣコネクタ、ＳＣコネクタ等複数の種類があり、それぞれの寸法や光学特性、機械特性が国際規格やＪＩＳ規格に規定されている。しかし、それぞれの種類の接続具同士に互換性が無いことが異なる種類の接続具を接続する場合に問題となる。この課題を解決するために例えば特許文献１、２の発明が開示されている。接続具同士の位置決めを特許文献１はラッチ係止により行うものであり、特許文献２はねじ係止により行うものであるが、いずれも、位置決め精度は各部品の寸法精度によっているものであり、また、いずれも、伝送路長手方向の第一の接続具と第二の接続具の中間に位置して一方端を第一の接続具に、他方端を第二の接続具に支持されるものである。
【特許文献１】特開平６−５９１５９号公報
【特許文献２】特開平８−２６２２６８号公報
【発明の開示】
【発明が解決しようとする課題】
【０００３】
しかしながら、光接続に必要な位置決め精度を満たしつつ安価に製造するのは困難であった。なぜならば嵌合される内側の部位、外側の部位にはそれぞれ製造誤差があり、これを許容するためには内側部位の寸法は外側部位の寸法より十分小さくなければならないため、組合わせによっては両者の間に隙間ができてしまうためである。この隙間を小さくするには公差を小さく設定し、寸法を厳密に管理する必要があり、製造効率上好ましくない。公差を大きくすると隙間も大きくなり位置決め精度が低下してしまう。
一方、ある２種類の接続具を考えた場合、その形状によっては、相互の伝送路を接触させることは可能だが、位置の保持ができないという場合がある。例えば図１はケーブル外被把持型コネクタを示しており、一方側部品１（プラグ側）が他方側部品２（ソケット側）に挿入され、光伝送路３、４が接続される。図２に示すようにＳＣコネクタの一方側部品５とケーブル外被把持型コネクタの他方側部品２を接続しようとする場合には、光伝送路４、６を接触させることは可能であるが、部品５と部品２を正しい位置に保持することはできず、実際上は光伝送路４、６を接続することはできない。このような場合は、上述の特許文献１、２に記載のように伝送路長手方向の第一の接続具と第二の接続具の中間に位置して一方端を第一の接続具に、他方端を第二の接続具に支持されるものでは、部材が必要以上に大型となり、また、接続部の長さも長くなってしまうため必ずしも得策ではない。
従って、本発明の目的は、上記課題を解決し、種類の異なる接続具を接続する場合に、安価で、位置決め精度に優れ、接続部をコンパクトにできる接続を実現することである。
【課題を解決するための手段】
【０００４】
上記課題を解決するため、請求項１にかかるアタッチメントは、所定外寸を有する第一の光接続具の一方側部品である第１部品と、前記所定外寸よりも大きい所定内寸を有する第二の光接続具の他方側部品である第２部品とを接続する際に使用するアタッチメントであって、前記アタッチメントの外形は、前記第２部品の内形に対応し、前記アタッチメントの内形は、前記第１部品の外形に対応して、前記第１部品と前記第２部品に予圧を与えながら支持することを特徴とする。
【０００５】
請求項２にかかるアタッチメントは、請求項１に記載のアタッチメントであって、射出成形による一体成形品であることを特徴とする。
【０００６】
請求項３にかかるアタッチメントは、請求項１又は２に記載のアタッチメントであって、光伝送路の光軸に対して点対称の複数箇所に予圧を与えることを特徴とする。
【０００７】
請求項４にかかるアタッチメントは、請求項１から３いずれか一つに記載のアタッチメントであって、前記第一の光接続具はＳＣコネクタであり、前記第二も光接続具はケーブル外被把持型コネクタであることを特徴とする。
【発明の効果】
【０００８】
請求項１にかかるアタッチメントによれば、アタッチメントの外形が第２部品の外形に対応し、アタッチメントの内形が第１部品の外形に対応しているので、第２部品、アタッチメント、第１部品と順次挿入することができ、最小の部材、スペースでそれぞれの部品を正しく位置決めすることができる。また、前記アタッチメントは第１部品、第２部品に予圧を与えて保持するので、予圧付与部の弾性によって寸法バラツキを吸収することができる。従って、正確な位置決め精度と製造コストの抑制を両立することができる。
【０００９】
請求項２にかかるアタッチメントによれば、射出成形による一体成形品であるので安価に製造が可能である。また、与圧付与部の弾性によって寸法バラツキを吸収できるので射出成形であっても十分高精度の位置決めが可能である。
【００１０】
請求項３にかかるアタッチメントによれば、光伝送路の光軸に対して点対称の複数箇所に予圧を与えるので、安定した位置決めが可能である。
【００１１】
上述の請求項１から３いずれか一つにかかるアタッチメントは請求項４にかかるごとく、第一の光接続具がＳＣコネクタであり、第二の接続具がケーブル外被把持型コネクタである場合には、特に好適である。
【発明を実施するための最良の形態】
【００１２】
本発明の実施形態を、以下図例を示してさらに詳細に説明する。
図３は、本発明の一実施形態であるアタッチメントを示している。アタッチメント７は例えばＰＥＩ、ＰＰＳ、ＰＣ、ＰＢＴ、ＰＥＳなどの熱可塑性樹脂の射出成形による一体成形品であり、第一の弾性部８、第二の弾性部９、第一の係止突起１０、第三の弾性部１１、第二の係止突起１２を備えている。図４はＳＣコネクタの一方側部品（プラグ側、以下、第１部品と呼ぶ）５とケーブル外被把持型コネクタの他方側部品（ソケット側、以下、第２部品と呼ぶ）２をアタッチメント７を用いて接続する状態を示している。アタッチメント７の外形は第２部品２の内形に対応しており、第２部品２の内側に挿入されている。アタッチメント７は、第二の弾性部９を変形させながら侵入してきた第一の係止突起１０が第２部品２の係止孔１３に至って、弾性変形が一部復帰し、第一の係止突起１０と係止孔１３によって係合される。この状態で、第一の弾性部８は変形しており、第２部品２の第一基準面１４と第二基準面１５に予圧を与えており、弾性部で寸法誤差を吸収するとともに、位置決めを安定させている。これは、第２部品２の寸法Ａが３．７５ｍｍであるのに対して、アタッチメント７の応力開放状態でのＢ寸法を４．０３ｍｍとＡ＜Ｂとなるよう設定したからである。（図３において（ｂ）は弾性部８を矢印Ｃの方向から見た拡大図である。）また、アタッチメント７の内形寸法は第１部品５の外形寸法に対応しており、第１部品５はアタッチメント７の内側に挿入され、第三の弾性部１１により第二の係止突起１２を介して第１部品に予圧を与えるとともに、第二の係止突起１２と係止溝１６が係合して位置決めされている。このようにして、簡便に異種の接続具であるケーブル外被把持型コネクタとＳＣコネクタの接続が実現される。なお、本発明の実施形態としてケーブル外被把持型コネクタとＳＣコネクタを接続する場合の例を説明したが、本発明がこの例に限定されるものでないことはいうまでもない。
【図面の簡単な説明】
【００１３】
【図１】ケーブル外被把持型コネクタの接続状態を示す。
【図２】ケーブル外被把持型コネクタとＳＣコネクタを示す。
【図３】本発明にかかるアタッチメントを示す。
【図４】本発明にかかるアタッチメントを用いたケーブル外被把持型コネクタとＳＣコネクタの接続を示す。
【符号の説明】
【００１４】
１      ケーブル外被把持型コネクタの一方側部品（プラグ側）
２      ケーブル外被把持型コネクタの他方側部品（ソケット側）
３      光伝送路
４      光伝送路
５      ＳＣコネクタの一方側部品
６      光伝送路
７      アタッチメント
８      第一の弾性部
９      第二の弾性部
１０    第一の係止突起
１１    第三の弾性部
１２    第二の係止突起
１３    係止孔
１４    第一基準面
１５    第二基準面
１６    係止溝
【図１】
2006330088.tif 000003
【図２】
2006330088.tif 000004
【図３】
2006330088.tif 000005
【図４】
2006330088.tif 000006